(57)【特許請求の範囲】
【請求項１】
インターホン親機や副親機などに付設される増設スピーカであって、インターホン親機や副親機から出力された呼出音や警報音などの音声信号による移報信号を検知したときに、その移報信号を報知音として出力させるスピーカと、その移報信号に応じて点滅あるいは点灯する光源とを備えたインターホン増設スピーカ。
【請求項２】
請求項１において、上記光源はフラッシュランプである、インターホン増設スピーカ。
【請求項３】
請求項１，２において、親機あるいは副親機から出力される移報信号の周期に応じて、光源の点滅周期を変化させる発光制御回路を備えている、インターホン増設スピーカ。
【請求項４】
請求項１から３のいずれかにおいて、増設スピーカは、出力すべき報知音の音量を調整するための音量調整手段を備えている、インターホン増設スピーカ。
【請求項５】
請求項１から４のいずれかにおいて、増設スピーカは、光源の発光時間あるいは点滅時間を調整するための発光調整手段を備えている、インターホン増設スピーカ。
【請求項６】
請求項１から５のいずれかにおいて、増設スピーカは、別の増設スピーカを更に接続するための増設端子を備えている、インターホン増設スピーカ。
【請求項７】
請求項１から５のいずれかにおいて、発光制御回路は、スピーカからの報知音の出力時間が所定時間を越えると、光源の点滅周期を自動的に変化させる、インターホン増設スピーカ。
【請求項８】
請求項１から５のいずれかにおいて、発光制御回路は、スピーカからの報知音の出力時間が所定時間を越えると、光源の発光色を自動的に変化させる、インターホン増設スピーカ。
【請求項９】
請求項１から５のいずれかにおいて、発光制御回路は、スピーカからの報知音の出力時間が所定時間を越えると、光源の輝度を増大させる、インターホン増設スピーカ。
【請求項１０】
請求項１から５のいずれかにおいて、増設スピーカは、更に警報表示灯を備えており、上記発光制御回路は、スピーカからの報知音の出力時間が所定時間を越えると、警報表示灯を自動的に点灯あるいは点滅させる、インターホン増設スピーカ。
【請求項１１】
請求項１から５のいずれかにおいて、上記発光制御回路は、入力された移報信号に応じて光源の発光パターンを変更する、インターホン増設スピーカ。
【請求項１２】
請求項１から５のいずれかにおいて、上記発光制御回路は、入力された移報信号に応じて光源の点滅周期を変更する、インターホン増設スピーカ。
【請求項１３】
請求項１から５のいずれかにおいて、上記発光制御回路は、入力された移報信号に応じて光源の発光色を変更する、インターホン増設スピーカ。
【請求項１４】
請求項１から５のいずれかにおいて、増設スピーカは、更に内容表示灯を備えており、上記発光制御回路は、入力された移報信号に応じて内容表示灯を自動的に点灯あるいは点滅させる、インターホン増設スピーカ。
【請求項１５】
請求項１から５のいずれかに記載され、更にワイヤレス発信器を内蔵し、上記発光制御回路は、移報信号を入力したときには、ワイヤレス発信器を駆動して、呼出信号を発信するインターホン増設スピーカ。
【請求項１６】
請求項１５に記載されたインターホン増設スピーカと、ワイヤレス受信器とを組み合わせて構成され、インターホン増設スピーカが移報信号を入力したときには、上記ワイヤレス発信器を駆動して、ワイヤレス受信器に報知信号を電波信号の形で送出させる構成としている呼出報知システム。
【請求項１７】
請求項１５、１６において、上記ワイヤレス受信器には、バイブレータが付設されており、ワイヤレス受信器が増設スピーカに内蔵されたワイヤレス発信器から報知信号を受けたときには、バイブレータを駆動させて、報知する構成としている呼出報知システム。
【発明の詳細な説明】
【０００１】
【発明の属する技術分野】
本発明は、インターホン親機や、副親機などに付設されるインターホン増設スピーカ、および、これを使用した呼出報知システムに関する。
【０００２】
【従来の技術】
従来より増設スピーカは、住戸に設けられた、インターホン親機や副親機などに付設し、使用されてきた。
ここで、インターホン親機や副親機は、来客のあったことや、多種警報を呼出音や表示をもって、住居人に報知している。
【０００３】
【発明が解決しようとする課題】
ところが、従来のインターホン増設スピーカは、音を出力するのみで、また、インターホン増設スピーカからの報知音の音量設定を、インターホン親機や副親機の音量設定に依存し、インターホン増設スピーカ本体で、各自の所望とする音量設定が出来ず、高騒音下や聴覚障害者にとっては、報知が適切になされないという問題があった。
【０００４】
本発明は、このような問題に鑑みてなされたものであり、高騒音下や聴覚障害者にとっても、適切に報知がなされることが出来るインターホン増設スピーカ及びこれを使用した呼出報知システムを提供することを目的としている。
【０００５】
【課題を解決するための手段】
本発明は、インターホン親機や副親機から出力された呼出音や警報音などの音声信号による移報信号を検知したときに、その移報信号を報知音として出力させるスピーカと、その移報信号に応じて点滅あるいは点灯する光源とを備えた構成としている。
【０００６】
このインターホン増設スピーカは、インターホン親機や副親機のスピーカ増設端子に接続され、移報信号を受けると、スピーカから各種の報知音を出力させるとともに、その移報信号に応じて光源を点灯あるいは点滅させる構成にしている。
移報信号としては、ドアホン子器から呼出しを受けたときに、インターホン親機から出力される呼出音、アラームユニットの出力する警報音を、インターホン親機から出力する警報音などがある。
【０００７】
ドアホン子器やインターホン副親機からの呼出時には、インターホン親機から出力される移報信号を受け、その信号に応じて点滅あるいは点灯する光源を備えているので、呼出音の聞き取れない高騒音下や聴覚障害者にも来客報知ができる。
請求項２に記載のインターホン増設スピーカは、請求項１に記載のインターホン増設スピーカの光源をフラッシュランプとした構成としている。
【０００８】
このフラッシュランプより、閃光が出力されるので、視認性を高くすることが出来る。
請求項３に記載のインターホン増設スピーカは、請求項２に記載のインターホン増設スピーカに、親機あるいは副親機から出力される移報信号の周期に応じて、光源の点滅周期を変化させる発光制御回路を備えた構成としている。
【０００９】
この発光制御回路を設けたことにより、インターホン親機、副親機から出力される移報信号パターンが複数存在する場合に、光源の発光、点滅パターンを変化させることが出来るので呼出の目的や呼出しているドアホン子器の種別が容易に判別出来る。
請求項４に記載のインターホン増設スピーカは、請求項１から３のいずれかに記記載のインターホン増設スピーカに、出力すべき報知音の音量を調整するための音量調整手段を備えた構成としている。
【００１０】
これによって、インターホン増設スピーカ本体で、各自の所望とする音量設定が出来る。
請求項５に記載のインターホン増設スピーカは、光源の発光時間あるいは点滅時間を調整するための発光調整手段を備えた構成としている。
これによって、インターホン増設スピーカ本体で、各自の所望とする発光時間あるいは点滅時間の調整が出来る。
【００１１】
請求項６に記載のインターホン増設スピーカは、請求項１から５のいずれかに記載のインターホン増設スピーカに、別のインターホン増設スピーカを更に接続するための増設端子を備えた構成としている。
請求項７に記載のインターホン増設スピーカは、請求項１から５のいずれかに記載のインターホン増設スピーカの発光制御回路に、スピーカからの報知音の出力時間が所定時間を越えると、光源の点滅周期を自動的に変化させる機能を付加したものである。
【００１２】
インターホン増設スピーカに入力される移報信号は、来客の呼出報知音の場合には短いが、警報音の場合には長くなるので、この違いを発光制御回路で判別して光源の点滅周期を変化させている。呼出報知音に比べて警報報知音では点滅周期が短くなり、スピーカからの鳴動音が変化し、音量も大きくなる。
請求項８に記載のインターホン増設スピーカは、請求項１から５のいずれかに記載のインターホン増設スピーカの発光制御回路に、スピーカからの報知音の出力時間が所定時間を越えると、光源の発光色を自動的に変化させる機能を付加したものである。
【００１３】
これによって、住居人が、インターホン増設スピーカからの報知が、呼出報知か警報報知かを判別することが出来る。
請求項９に記載のインターホン増設スピーカは、請求項１から５のいずれかに記載のインターホン増設スピーカの発光制御回路に、スピーカからの報知音の出力時間が所定時間を越えると、光源の輝度を増大させる機能を付加したものである。
【００１４】
これによって、住居人が、インターホン増設スピーカからの報知が、呼出報知か警報報知かを判別することが出来る。
請求項１０に記載のインターホン増設スピーカは、請求項１から５のいずれかに記載のインターホン増設スピーカに、警報表示灯を備えた構成としている。
発光制御回路に、スピーカからの報知音の出力時間が所定時間を越えると、警報表示灯を自動的に点灯あるいは点滅させる機能を付加している。
【００１５】
これによって、住居人が、インターホン増設スピーカからの報知が、警報報知であるということを、より明確に認識することが出来る。
請求項１１に記載のインターホン増設スピーカは、請求項１から５のいずれかに記載のインターホン増設スピーカの発光制御回路に、入力された移報信号に応じて、光源の発光パターンを変更させる機能を付加したものである。
【００１６】
これによって、住居人が、来客のあったことや、多種警報の種類を、容易に判別することが出来る。
請求項１２に記載のインターホン増設スピーカは、請求項１から５のいずれかに記載のインターホン増設スピーカの発光制御回路に、入力された移報信号に応じて、光源の点滅周期を変更させる機能を付加したものである。
【００１７】
これによって、住居人が、来客のあったことや、多種警報の種類を、容易に判別することが出来る。
請求項１３に記載のインターホン増設スピーカは、請求項１から５のいずれかに記載のインターホン増設スピーカの発光制御回路に、入力された移報信号に応じて、光源の発光色を変更させる機能を付加したものである。
【００１８】
これによって、住居人が、来客のあったことや、多種警報の種類を、容易に判別することが出来る。
請求項１４に記載のインターホン増設スピーカは、請求項１から５のいずれかに記載のインターホン増設スピーカに、内容表示灯を備えた構成としている。
発光制御回路は、入力された移報信号に応じて、この内容表示灯を自動的に点灯あるいは点滅させている。
【００１９】
これによって、住居人が、内容表示灯を見ることによって、来客のあったことや、多種警報の種類を、より容易に判別することが出来る。
請求項１５に記載のインターホン増設スピーカは、請求項１から５のいずれかに記載のインターホン増設スピーカに、ワイヤレス発信器を内蔵した構成としている。
【００２０】
発光制御回路は、移送信号を入力すると、このワイヤレス発信器を駆動して、呼出信号を発信する。
別に、ワイヤレス受信器を利用することによって、インターホン増設スピーカから離れた場所に報知をすることができる。
請求項１６に記載の呼出報知システムは、請求項１５に記載のインターホン増設スピーカと、ワイヤレス受信器とを組み合わせた構成としている。
【００２１】
インターホン増設スピーカが移報信号を入力すると、内蔵されたワイヤレス発信機を駆動して、このワイヤレス受信器に、報知信号を電波信号の形で送出している。
請求項１７に記載の呼出報知システムは、請求項１６に記載の呼出報知システムで用いる、ワイヤレス受信器にバイブレータを付設した構成としている。
【００２２】
ワイヤレス受信器が、インターホン増設スピーカに内蔵されたワイヤレス発信機から報知信号を受けたときに、ワイヤレス受信器に付設されたバイブレータを駆動させて、報知している。
住居人が、このワイヤレス受信器を装着することによって、たとえ、インターホン増設スピーカから遠隔に居る場合にでも、振動で来客報知がなされるので、利便である。
【００２３】
【発明の実施の形態】
以下に、本発明の実施の形態について、図面とともに説明する。
図１は、本発明に係るインターホン増設スピーカの要部構成を示すブロック図を示している。（請求項１，２）
図１に示すインターホン増設スピーカＡは、インターホン親機及び副親機から出力される移報信号を検知して、移報信号を出力する移報信号検知回路１と、移報信号検知回路１より出力された移報信号を受けて、その移報信号を報知音として出力するスピーカ２と、その移報信号に応じて点滅あるいは点灯する光源Ｄ１と、インターホン増設スピーカＡを駆動する電源回路３とで構成している。
【００２４】
インターホン増設スピーカＡをインターホン親機及び副親機の接続端子に接続し、インターホン親機及び副親機より出力される移報信号を、移報信号検知回路１で検知する。
そして、移報信号検知回路１は、移報信号をスピーカ２へ出力し、スピーカ２は移報信号を報知音として出力する。
【００２５】
一方、移報信号検知回路１は、移報信号を光源Ｄ１に出力し、光源Ｄ１はその移報信号に応じて、点滅あるいは点灯する。
ここで、光源Ｄ１をフラッシュランプにしてもよい。（請求項２）
また、別のインターホン増設スピーカＡを接続するための増設端子（不図示）を更に備えた構成としてもよい。（請求項６）
尚、電源回路３は、インターホン親機及び副親機からの電源供給を受ける構成にしてもいいし、インターホン親機及び副親機とは独立した構成にしてもよい。
【００２６】
図２に示すインターホン増設スピーカＢは、インターホン増設スピーカＡの基本構成に、更に発光制御回路４を付加した構成としている。（請求項３）
発光制御回路４によって、インターホン親機あるいは副親機より出力される移報信号の周期に応じて、光源Ｄ１の点滅周期が変化する。
図３は、インターホン増設スピーカＢの発光制御回路４による、インターホン親機あるいは副親機より出力される移報信号の周期に応ずる、光源Ｄ１の点滅周期の変化を示すタイムチャートである。
【００２７】
（ａ）に示す時間と、（ｂ）に示す時間とでは、インターホン親機及び副親機より、インターホン増設スピーカＢに出力される移報信号の周期が変化している。
これに応じて、インターホン増設スピーカＢの光源Ｄ１の点滅周期が変化する。
【００２８】
ここで、発光制御回路４は、スピーカ２からの報知音の出力時間が所定時間を越えると、光源Ｄ１の点滅周期を自動的に変化させるようにしてもよい。（請求項７）
図４は、その場合のタイムチャートを示している。
あらかじめ、発光制御回路４に、所定時間（ａ）を設定しておき、移報信号の入力が、所定時間（ａ）を越えると、発光制御回路４は、光源Ｄ１の点滅周期を自動的に変化させる。
【００２９】
ここで、発光制御回路４に、スピーカ２からの報知音の出力時間が所定時間（ａ）を越えると、光源Ｄ１の発光色を自動的に変化させるようにしてもよいし（請求項８）、スピーカ２からの報知音の出力時間が所定時間（ａ）を越えると、光源Ｄ１の輝度を増大させるようにしてもよい。（請求項９）
また、発光制御回路４に、入力された移報信号に応じて、光源Ｄ１の発光パターンを変更させるようにしてもよいし（請求項１１）、入力された移報信号に応じて、光源Ｄ１の点滅周期を変更させるようにしてもよいし（請求項１２）、入力された移報信号に応じて、光源の発光色を変更させるようにしてもよい。（請求項１３）
図５に示すインターホン増設スピーカＣは、インターホン増設スピーカＢの基本構成に、更に音量調整手段５を付加した構成としている。（請求項４）
音量調整手段５を用いて、インターホン増設スピーカＣのスピーカ２より出力される報知音の音量調整を行う。
【００３０】
図６に示すインターホン増設スピーカＤは、インターホン増設スピーカＣの基本構成に、更に発光調整手段６を付加した構成としている。（請求項５）
発光調整手段６を用いて、インターホン増設スピーカＤの光源Ｄ１の発光時間あるいは点滅時間の調整を行う。
図７に示すインターホン増設スピーカＥは、インターホン増設スピーカＤの基本構成に、更に警報表示灯Ｄ２を付加した構成としている。（請求項１０）
発光制御回路４は、スピーカ２からの報知音の出力時間が所定時間を越えると、警報表示灯Ｄ２を自動的に点灯あるいは点滅させるようにしており、移報信号検知回路１に入力される移報信号は、来客の呼出報知音の場合には短いが、警報音の場合には長くなるので、この違いを発光制御回路４で判別して、警報表示灯Ｄ２を自動的に点灯あるいは点滅させる。
【００３１】
図８（ａ）に示す、インターホン増設スピーカＦは、インターホン増設スピーカＥの基本構成に、更に内容表示灯Ｄ３を付加した構成としている。（請求項１４）
発光制御回路４は、入力された移報信号に応じて、内容表示灯Ｄ３を自動的に点灯あるいは点滅させるようにしており、内容表示灯Ｄ３の前面には、図８（ｂ）に示す内容表示パネル７が備えてあり、内容表示パネル７は、それぞれの呼出または警報内容を絵で示したものとなっている。
【００３２】
内容表示灯Ｄ３が、点灯あるいは点滅することによって、内容表示パネル７が点灯あるいは点滅し、住居人にその旨を知らせる。
図９に示すインターホン増設スピーカＧは、インターホン増設スピーカＤの基本構成に、更にワイヤレス受信器８とワイヤレスアンテナ９とを備えた構成としている。（請求項１５）
発光制御回路４は、移報信号を入力すると、移報信号をワイヤレス発信器８に出力して、駆動させるようにしており、ワイヤレス発信器８が駆動すると、ワイヤレスアンテナ９を通して、移報信号を電波信号の形で発信する。
【００３３】
図１０は、請求項１６に係る呼出報知システムの要部構成を示すブロック図である。
インターホン増設スピーカＧとワイヤレス受信器１０とを組み合わせて構成し、ワイヤレス発信器８より発信された移報信号を、ワイヤレス受信器１０がワイヤレスアンテナ９を通して、受信する。
【００３４】
ここで、ワイヤレス受信器１０に、バイブレータ（不図示）を内蔵して、ワイヤレス受信器が移報信号を受信すると、バイブレータ（不図示）を振動させる構成にしてもよい。（請求項１７）
【００３５】
【発明の効果】
以上の説明から理解できるように、請求項１に記載のインターホン増設スピーカによれば、ドアホン子器やインターホン副親機からの呼出時には、インターホン親機から出力される移報信号を受け、その信号に応じて点滅あるいは点灯する光源を備えているので、呼出音の聞き取れない高騒音下や聴覚障害者にも来客報知ができる。
【００３６】
請求項２に記載のインターホン増設スピーカによれば、光源をフラッシュランプとした構成としているので、このフラッシュランプより閃光が出力され、視認性を高くすることが出来る。
請求項３に記載のインターホン増設スピーカによれば、インターホン親機、副親機から出力される移報信号パターンが複数存在する場合に、光源の発光、点滅パターンを変化させることが出来るので呼出の目的や呼出しているドアホン子器の種別が容易に判別出来る。
【００３７】
請求項４に記載のインターホン増設スピーカによれば、出力すべき報知音の音量を調整するための音量調整手段を備えた構成としているので、インターホン増設スピーカ本体で、各自の所望とする音量設定が出来る。
請求項５に記載のインターホン増設スピーカによれば、光源の発光時間あるいは点滅時間を調整するための発光調整手段を備えた構成としているので、インターホン増設スピーカ本体で、各自の所望とする発光時間あるいは点滅時間の調整が出来る。
【００３８】
請求項６に記載のインターホン増設スピーカによれば、別のインターホン増設スピーカを更に接続するための増設端子を備えた構成としているので、順々にインターホン増設スピーカを増設することができる。
請求項７に記載のインターホン増設スピーカによれば、発光制御回路に、スピーカからの報知音の出力時間が所定時間を越えると、光源の点滅周期を自動的に変化させる機能を付加したので、住居人が、呼出報知か警報報知かを一目瞭然で判別できる。
【００３９】
請求項８に記載のインターホン増設スピーカによれば、発光制御回路に、スピーカからの報知音の出力時間が所定時間を越えると、光源の発光色を自動的に変化させる機能を付加したので、住居人が、呼出報知か警報報知かを一目瞭然で判別できる。
請求項９に記載のインターホン増設スピーカによれば、発光制御回路に、スピーカからの報知音の出力時間が所定時間を越えると、光源の輝度を増大させる機能を付加したので、住居人が、呼出報知か警報報知かを一目瞭然で判別できる。
【００４０】
請求項１０に記載のインターホン増設スピーカによれば、警報表示灯を備えた構成とし、発光制御回路が、スピーカからの報知音の出力時間が所定時間を越えると、警報表示灯を自動的に点灯あるいは点滅させる機能を付加しているので、住居人が、警報報知であるということを、より明確に認識することが出来る。
請求項１１に記載のインターホン増設スピーカによれば、発光制御回路に、入力された移報信号に応じて、光源の発光パターンを変更させる機能を付加したので、住居人が、来客のあったことや、多種警報の種類を、容易に判別することが出来る。
【００４１】
請求項１２に記載のインターホン増設スピーカによれば、発光制御回路に、入力された移報信号に応じて、光源の点滅周期を変更させる機能を付加したので、住居人が、来客のあったことや、多種警報の種類を、容易に判別することが出来る。
請求項１３に記載のインターホン増設スピーカによれば、発光制御回路に、入力された移報信号に応じて、光源の発光色を変更させる機能を付加したので、住居人が、来客のあったことや、多種警報の種類を、容易に判別することが出来る。
【００４２】
請求項１４に記載のインターホン増設スピーカによれば、内容表示灯を備えた構成とし、発光制御回路に、入力された移報信号に応じて、この内容表示灯を自動的に点灯あるいは点滅させている機能を付加しているので、住居人が、内容表示灯を見ることによって、来客のあったことや、多種警報の種類を、より容易に判別することが出来る。
【００４３】
請求項１５に記載のインターホン増設スピーカによれば、ワイヤレス発信器を内蔵した構成とし、発光制御回路に、移送信号を入力すると、ワイヤレス発信器を駆動して、呼出信号を発信するので、別に、ワイヤレス受信器を利用することによって、インターホン増設スピーカから離れた場所に報知をすることができる。
【００４４】
請求項１６に記載の呼出報知システムによれば、インターホン増設スピーカが移報信号を入力すると、内蔵されたワイヤレス発信機を駆動して、ワイヤレス受信器に、報知信号を電波信号の形で送出しているので、インターホン増設スピーカから離れた場所に報知をすることができる。
請求項１７に記載の呼出報知システムは、ワイヤレス受信器にバイブレータを付設した構成としているので、住居人が、ワイヤレス受信器を装着することによって、たとえ、インターホン増設スピーカから遠隔に居る場合にでも、振動で来客報知がなされるので、利便である。
【図面の簡単な説明】
【図１】本発明に係るインターホン増設スピーカ（請求項１，２）の基本構成を示すブロック図である。
【図２】本発明に係るインターホン増設スピーカ（請求項３）の基本構成を示すブロック図である。
【図３】本発明に係るインターホン増設スピーカ（請求項３）の光源の点滅周期の変化を示すタイムチャートである。
【図４】本発明に係るインターホン増設スピーカ（請求項７）の光源の点滅周期の変化を示すタイムチャートである。
【図５】本発明に係るインターホン増設スピーカ（請求項４）の基本構成を示すブロック図である。
【図６】本発明に係るインターホン増設スピーカ（請求項５）の基本構成を示すブロック図である。
【図７】本発明に係るインターホン増設スピーカ（請求項１０）の基本構成を示すブロック図である。
【図８】（ａ）は本発明に係るインターホン増設スピーカ（請求項１４）の基本構成を示すブロック図、（ｂ）は内容表示パネルを示す図である。
【図９】本発明に係るインターホン増設スピーカ（請求項１５）の基本構成を示すブロック図である。
【図１０】本発明に係る呼出報知システムの基本構成を示すブロック図である。
【符号の説明】
Ａ，Ｂ，Ｃ，Ｄ，Ｅ，Ｆ，Ｇ・・・インターホン増設スピーカ
１・・・移報信号検知回路
２・・・スピーカ
４・・・発光制御回路
５・・・音量調整手段
６・・・発光調整手段
７・・・内容表示パネル
８・・・ワイヤレス発信器
９・・・ワイヤレスアンテナ
１０・・・ワイヤレス受信器
Ｄ１・・・光源
Ｄ２・・・警報表示灯
Ｄ３・・・内容表示灯
【図１】
0003919037.tif 000002
【図２】
0003919037.tif 000003
【図３】
0003919037.tif 000004
【図４】
0003919037.tif 000005
【図５】
0003919037.tif 000006
【図６】
0003919037.tif 000007
【図７】
0003919037.tif 000008
【図８】
0003919037.tif 000009
【図９】
0003919037.tif 000010
【図１０】
0003919037.tif 000011